(57)【要約】      （修正有）【課題】開閉部材を開くときにシートを挟持して搬送するローラ対が離間する構成において、簡易な構成で開閉部材を閉じるときの負荷を軽減することができるシート搬送装置を提供する。【解決手段】シート搬送装置の二次転写部において、扉１６に設けられ、移動されることで二次転写ローラの回転軸９ａに当接し、転写ばねを圧縮した状態で扉１６に対し回転軸９ａを拘束する離間カム３０は、扉１６が閉位置にあって回転軸９ａが解放状態にある場合、扉１６が閉位置から開位置まで移動される途中で回転軸９ａを解放状態から拘束状態へ切り替え、扉１６が開位置に到達するまで回転軸９ａを拘束状態に維持する。扉１６が閉位置にあって回転軸９ａが拘束状態にある場合、駆動源の駆動力により移動される離間解除部材５０は、離間カム３０と係合して離間カム３０を移動させることで、回転軸９ａを解放状態に切り替える。【選択図】図８
2017225106.tif 000002
【特許請求の範囲】
【請求項１】
装置本体に設けられ、駆動源から駆動力を受けて回転する第１ローラと、
装置本体に設けられ、シートのジャム処理を可能にする開位置とシートの搬送が行われる閉位置との間を移動可能な開閉部材と、
前記開閉部材に設けられ、前記開閉部材が前記閉位置のときに前記第１ローラの方向に付勢され、前記第１ローラの回転に伴いシートを搬送する第２ローラと、
前記開閉部材において、前記第２ローラとの間に設けられ、前記開閉部材が前記閉位置にあるときに前記第２ローラを前記第１ローラの方向に付勢する付勢部材と、
前記開閉部材に設けられ、移動されることで前記第２ローラの回転軸に当接し、前記付勢部材を圧縮した状態で前記開閉部材に対し前記回転軸を拘束する拘束部材であって、移動されることで、前記回転軸が拘束される拘束状態と、前記回転軸が拘束から解放される解放状態とを切り替え、前記開閉部材が前記閉位置にあって前記回転軸が前記解放状態にある場合、前記開閉部材が前記閉位置から前記開位置まで移動される途中で前記回転軸を前記解放状態から前記拘束状態へ切り替え、前記開閉部材が前記開位置に到達するまで前記回転軸を前記拘束状態に維持し、前記開閉部材が前記開位置から前記閉位置まで移動される間は前記回転軸を前記拘束状態に維持する拘束部材と、
前記開閉部材が前記閉位置にあって前記回転軸が前記拘束状態にある場合、前記駆動源の駆動力により移動される解除部材であって、前記拘束部材と係合して前記拘束部材を移動させることで、前記回転軸を前記解放状態に切り替える解除部材と、
を有することを特徴とするシート搬送装置。
【請求項２】
前記開閉部材が前記閉位置にあって前記回転軸が前記拘束状態にある場合、前記第２ローラは前記付勢部材により前記第１ローラを付勢しないことを特徴とする請求項１に記載のシート搬送装置。
【請求項３】
前記拘束部材は、前記開閉部材に回動可能に支持されたカム部材であり、
前記カム部材は、前記解除部材により前記駆動源の駆動力を受けて回動することで前記回転軸を前記拘束状態から前記解放状態に切り替えることを特徴とする請求項１又は２に記載のシート搬送装置。
【請求項４】
前記カム部材は、前記回転軸を前記拘束状態に維持する拘束部を有することを特徴とする請求項３に記載のシート搬送装置。
【請求項５】
前記解除部材は、前記第１ローラの回転と同期して回転する突起を有し、
前記カム部材は、前記突起と係合して前記突起の回転によって回動力を受けるギアを有することを特徴とする請求項３又は４に記載のシート搬送装置。
【請求項６】
シートに転写される現像剤像を担持する像担持体と、
装置本体に設けられ、駆動源から駆動力を受けて回転する第１ローラと、
装置本体に設けられ、シートのジャム処理を可能にする開位置とシートの搬送が行われる閉位置との間を移動可能な開閉部材と、
前記開閉部材に設けられ、前記開閉部材が前記閉位置のときに前記第１ローラの方向に付勢され、前記第１ローラの回転に伴いシートを搬送する第２ローラと、
前記開閉部材において、前記第２ローラとの間に設けられ、前記開閉部材が前記閉位置にあるときに前記第２ローラを前記第１ローラの方向に付勢する付勢部材と、
前記開閉部材に設けられ、移動されることで前記第２ローラの回転軸に当接し、前記付勢部材を圧縮した状態で前記開閉部材に対し前記回転軸を拘束する拘束部材であって、移動されることで、前記回転軸が拘束される拘束状態と、前記回転軸が拘束から解放される解放状態とを切り替え、前記開閉部材が前記閉位置にあって前記回転軸が前記解放状態にある場合、前記開閉部材が前記閉位置から前記開位置まで移動される途中で前記回転軸を前記解放状態から前記拘束状態へ切り替え、前記開閉部材が前記開位置に到達するまで前記回転軸を前記拘束状態に維持し、前記開閉部材が前記開位置から前記閉位置まで移動される間は前記回転軸を前記拘束状態に維持する拘束部材と、
前記開閉部材が前記閉位置にあって前記回転軸が前記拘束状態にある場合、前記駆動源の駆動力により移動される解除部材であって、前記拘束部材と係合して前記拘束部材を移動させることで、前記回転軸を前記解放状態に切り替える解除部材と、
を有することを特徴とする画像形成装置。
【請求項７】
前記第２ローラは、前記像担持体に担持された現像剤像をシートに転写する転写ローラであることを特徴とする請求項６に記載の画像形成装置。
【請求項８】
前記像担持体は、中間転写ベルトであることを特徴とする請求項６又は７に記載の画像形成装置。
【請求項９】
シートからなる原稿の画像を読み取る画像読取部と、
装置本体に設けられ、駆動源から駆動力を受けて回転する第１ローラと、
装置本体に設けられ、シートのジャム処理を可能にする開位置とシートの搬送が行われる閉位置との間を移動可能な開閉部材と、
前記開閉部材に設けられ、前記開閉部材が前記閉位置のときに前記第１ローラの方向に付勢され、前記第１ローラの回転に伴いシートを搬送する第２ローラと、
前記開閉部材において、前記第２ローラとの間に設けられ、前記開閉部材が前記閉位置にあるときに前記第２ローラを前記第１ローラの方向に付勢する付勢部材と、
前記開閉部材に設けられ、移動されることで前記第２ローラの回転軸に当接し、前記付勢部材を圧縮した状態で前記開閉部材に対し前記回転軸を拘束する拘束部材であって、移動されることで、前記回転軸が拘束される拘束状態と、前記回転軸が拘束から解放される解放状態とを切り替え、前記開閉部材が前記閉位置にあって前記回転軸が前記解放状態にある場合、前記開閉部材が前記閉位置から前記開位置まで移動される途中で前記回転軸を前記解放状態から前記拘束状態へ切り替え、前記開閉部材が前記開位置に到達するまで前記回転軸を前記拘束状態に維持し、前記開閉部材が前記開位置から前記閉位置まで移動される間は前記回転軸を前記拘束状態に維持する拘束部材と、
前記開閉部材が前記閉位置にあって前記回転軸が前記拘束状態にある場合、前記駆動源の駆動力により移動される解除部材であって、前記拘束部材と係合して前記拘束部材を移動させることで、前記回転軸を前記解放状態に切り替える解除部材と、
を有することを特徴とする画像読取装置。
【発明の詳細な説明】
【技術分野】
【０００１】
本発明は、シートを搬送するシート搬送装置に関する。また、シート搬送装置を備える電子写真複写機、電子写真プリンタ、インクジェットプリンタなどの画像形成装置や、イメージスキャナなどの画像読取装置に関する。
【背景技術】
【０００２】
複写機等の画像形成装置は、記録媒体であるシートを挟持して搬送するローラ対から形成されるシート搬送部（シート搬送装置）を備える。また、装置本体に対して開閉可能な扉（開閉部材）を備え、シート搬送部で生じた紙詰まり（以下、ジャムという）処理の際に扉を開閉する構成が知られている。扉の構成としては、例えば装置側面外装をなす扉の下側を回動中心に開閉するものや、扉ごと左右方向（装置設置面と略平行）にスライド移動するものなどがある。
【０００３】
またジャム処理を容易にするため、扉の開かれる動作に伴って、シート搬送部を構成するローラ対の各ローラを分割してシート搬送路（シートの挟持）を開放できる構成が知られている。なお、扉を開閉する際には、分割するローラ対へのダメージを軽減するため、ローラ軸方向において、一方のローラに対して他方のローラを平行移動させるように開閉する構成が望ましい。
【０００４】
ここで、ローラ対はシートを挟持して搬送するため、互いに適正な圧が働いている。この圧は、レジストローラ対では１〜５ｋｇｆ、転写ローラ対では３〜８ｋｇｆ程度に設定されている。このため、扉を閉めるときに各ローラの圧による反力を受けて負荷がかかる。
【０００５】
そこで特許文献１では、シートを挟持して搬送するローラ対において、一方のローラを他方のローラから離間当接させるための駆動装置を備え、この駆動装置により一方のローラを離間させた状態でカバーを開閉可能な構成が記載されている。これにより、カバーを閉めるときにかかる負荷を軽減することができる。
【先行技術文献】
【特許文献】
【０００６】
【特許文献１】特開２０１３−２３１８０７号公報
【発明の概要】
【発明が解決しようとする課題】
【０００７】
しかしながら、特許文献１に記載の構成では、駆動装置によりローラを離間させるため、新たに駆動源を追加するか、既存の駆動源から入力を切り替える機構が必要になり、部品コストが増加する。
【０００８】
そこで本発明はこのような現状に鑑みてなされたものであり、開閉部材を開くときにシートを挟持して搬送するローラ対が離間する構成において、簡易な構成で開閉部材を閉じるときの負荷を軽減することができるシート搬送装置を提供することを目的とする。
【課題を解決するための手段】
【０００９】
上記目的を達成するための本発明に係るシート搬送装置の代表的な構成は、装置本体に設けられ、駆動源から駆動力を受けて回転する第１ローラと、装置本体に設けられ、シートのジャム処理を可能にする開位置とシートの搬送が行われる閉位置との間を移動可能な開閉部材と、前記開閉部材に設けられ、前記開閉部材が前記閉位置のときに前記第１ローラの方向に付勢され、前記第１ローラの回転に伴いシートを搬送する第２ローラと、前記開閉部材において、前記第２ローラとの間に設けられ、前記開閉部材が前記閉位置にあるときに前記第２ローラを前記第１ローラの方向に付勢する付勢部材と、前記開閉部材に設けられ、移動されることで前記第２ローラの回転軸に当接し、前記付勢部材を圧縮した状態で前記開閉部材に対し前記回転軸を拘束する拘束部材であって、移動されることで、前記回転軸が拘束される拘束状態と、前記回転軸が拘束から解放される解放状態とを切り替え、前記開閉部材が前記閉位置にあって前記回転軸が前記解放状態にある場合、前記開閉部材が前記閉位置から前記開位置まで移動される途中で前記回転軸を前記解放状態から前記拘束状態へ切り替え、前記開閉部材が前記開位置に到達するまで前記回転軸を前記拘束状態に維持し、前記開閉部材が前記開位置から前記閉位置まで移動される間は前記回転軸を前記拘束状態に維持する拘束部材と、前記開閉部材が前記閉位置にあって前記回転軸が前記拘束状態にある場合、前記駆動源の駆動力により移動される解除部材であって、前記拘束部材と係合して前記拘束部材を移動させることで、前記回転軸を前記解放状態に切り替える解除部材と、を有することを特徴とする。
【発明の効果】
【００１０】
本発明によれば、簡易な構成で開閉部材を閉じるときの負荷を軽減することができる。
【図面の簡単な説明】
【００１１】
【図１】画像形成装置の断面概略図である。
【図２】二次転写部の断面概略図である。
【図３】二次転写部の側面図である。
【図４】二次転写ローラが移動するときの二次転写部の側面図である。
【図５】二次転写ローラが移動するときの二次転写部の側面図である。
【図６】二次転写ローラが移動するときの二次転写部の側面図である。
【図７】扉が閉じられた直後の二次転写部の側面図である。
【図８】二次転写ローラが移動するときの二次転写部の側面図である。
【図９】他の画像形成装置の断面概略図である。
【発明を実施するための形態】
【００１２】
（第１実施形態）
＜画像形成装置＞
以下、まず本発明の第１実施形態に係るシート搬送装置を備える画像形成装置Ａの全体構成を画像形成時の動作とともに図面を参照しながら説明する。なお、記載されている構成部品の寸法、材質、形状、その相対配置などは、特に特定的な記載がない限りは、この発明の範囲をそれらのみに限定する趣旨のものではない。
【００１３】
画像形成装置Ａは、イエローＹ、マゼンダＭ、シアンＣ、ブラックＫの４色のトナーを中間転写ベルトに一次転写した後、記録媒体であるシートに二次転写して画像を形成する中間転写タンデム方式のカラー画像形成装置である。
【００１４】
図１に示す様に、画像形成装置Ａは、シートにトナー像を転写する画像形成部と、画像形成部へシートを供給するシート給送部と、シートにトナー像を定着させる定着部と、を備える。
【００１５】
画像形成部は、図１に示す様に、回転可能に設けられた像担持体としての感光ドラム１（１Ｙ、１Ｍ、１Ｃ、１Ｋ）と、感光ドラム１を帯電させる帯電ローラ２（２Ｙ、２Ｍ、２Ｃ、２Ｋ）を有する。また中間転写ユニット、レーザスキャナユニット３、現像装置４（４Ｙ、４Ｍ、４Ｃ、４Ｋ）などを有する。
【００１６】
中間転写ユニットは、一次転写ローラ５（５Ｙ、５Ｍ、５Ｃ、５Ｋ）、二次転写ローラ９（第２ローラ、転写部材）、二次転写対向ローラ８（第１ローラ）、中間転写ベルト７（中間転写体）を備える。二次転写対向ローラ８は、その回転軸の端部に設けられた不図示の駆動入力部により、モータ等の不図示の駆動源から駆動力が入力されることで回転する。また中間転写ベルト７は、無端円筒状のベルトであり、二次転写対向ローラ８、第１張架ローラ１０、第２張架ローラ１１によって張架され、回転可能に支持されている。また二次転写対向ローラ８の回転に従動して、中間転写ベルト７及び二次転写ローラ９は回転する。
【００１７】
そして、二次転写対向ローラ８と二次転写ローラ９によってシートを挟持して搬送しつつ、後述する通り中間転写ベルト７が担持するトナー像をシートに転写する。つまり、二次転写対向ローラ８と二次転写ローラ９等から二次転写部１００が形成され、この二次転写部１００は、シートを挟持して搬送するシート搬送装置を兼ねている。また二次転写部１００は画像形成装置Ａの一部であるため、本実施形態においてシート搬送装置の装置本体とは画像形成装置Ａ本体を意味する。
【００１８】
なお、本実施形態では、二次転写対向ローラ８は、芯金として鉄製の金属芯金、弾性層としてＥＰＤＭを主成分とした半導電性ゴムを用いている。また二次転写ローラ９は、芯金として鉄製の金属芯金、弾性層としてＮＢＲヒドリンゴムを主成分とした半導電性スポンジを用いている。
【００１９】
また、画像形成装置Ａ本体の側面には、開閉部材としての扉１６が設けられている。この扉１６は、回動軸１７を中心に回動することで画像形成装置Ａ本体（シート搬送装置の装置本体）に対して開放・閉鎖が可能（開閉可能）な構成になっている。また不図示のストッパ部材により装置本体に対する開口角度を規制可能な構成となっている。そして、ジャム発生時に画像形成装置Ａ内に残留したシートを取り除く場合や、画像形成部の保守管理する場合等に、扉１６を開いてこれらの処理を行うことができる。
【００２０】
また二次転写ローラ９は扉１６に支持されており、扉１６が開かれることで中間転写ベルト７や二次転写対向ローラ８から離間する。これにより、ジャム発生時などにシート搬送路（シートの挟持）を開放させ、二次転写部１００で挟持されているシートを容易に取り除くことができる。つまり扉１６は、画像形成装置Ａ本体に対して開かれた開位置と閉じられた閉位置との間を移動可能に構成され、開位置においてシートのジャム処理を可能にし、閉位置にある場合、二次転写部１００においてシートの搬送が行われる。
【００２１】
画像形成に際しては、不図示のＣＰＵがプリント信号を発すると、シート積載部１５に積載収納されたシートＳが給送ローラ１４によりシート搬送路に給送される。給送されたシートは、搬送ローラＧ（Ｇ１、Ｇ２）を介して不図示のシート斜行補正装置に搬送され、斜行が補正された後に搬送ローラＧ３により画像形成部に搬送される。
【００２２】
一方、画像形成部においては、まず感光ドラム１が帯電ローラ２によって表面を帯電させられる。その後、不図示の外部接続ケーブルから伝送された画像情報に基づいて、レーザスキャナユニット３が感光ドラム１表面にレーザ光を照射して感光ドラム１表面に静電潜像を形成する。この静電潜像を現像装置４によってトナーを付着させて現像することにより感光ドラム１上にトナー像（現像剤像）が形成される。
【００２３】
感光ドラム１上に形成されたトナー像は、感光ドラム１と一次転写ローラ５から形成される一次転写部において、一次転写ローラ５に一次転写バイアスが印加されることで中間転写ベルト７にそれぞれ一次転写される。
【００２４】
中間転写ベルト７は、二次転写対向ローラ８の回転に伴って回転し、これにより回転方向下流にある二次転写部１００にトナー像が到達する。この二次転写部１００において、二次転写ローラ９に二次転写バイアスが印加されることでトナー像がシートに転写される。
【００２５】
トナー像が転写されたシートは、定着装置２０に送られ、加熱、加圧されてトナー像がシートに定着された後、排出ローラ１８により画像形成装置Ａの胴内に配置された排出トレイ１９に排出される。
【００２６】
なお、シートの両面に画像形成を行う場合には、排出トレイ１９上にシートの先端側を一時的に出し、シートＳの後端が不図示の分岐点を過ぎたところでスイッチバックして不図示の反転搬送装置へと搬送される。その後、シートは反転した状態で画像形成部に搬送され、表面に画像形成を行ったときと同様に裏面に画像形成が行われる。
【００２７】
＜シート搬送装置＞
次に、シート搬送装置としての二次転写部１００の構成について詳しく説明する。図２は二次転写部１００の構成を示す断面図であり、図３（ａ）は側面図である。
【００２８】
図２、図３（ａ）に示す様に、二次転写部１００は、二次転写対向ローラ８と、二次転写対向ローラ８と対向して設けられ、二次転写対向ローラ８とともにシートを挟持して搬送する二次転写ローラ９を有する。また転写ばね２１（付勢部材）、加圧軸受２２、転写搬送ガイド２３、規制リブ２３ａ、離間カム３０（拘束部材、カム部材）、規制部材４０、離間解除部材５０（解除部材）などを備える。なお、上述した通り、二次転写ローラ９は扉１６側に設けられている。また転写ばね２１、加圧軸受２２、転写搬送ガイド２３、規制リブ２３ａ、離間カム３０も扉１６側に設けられている。また転写ばね２１は、扉１６において、二次転写ローラ９との間に設けられている。また離間カム３０は、扉１６に設けられたカム軸に対して回動可能に軸支されている。
【００２９】
加圧軸受２２は、二次転写ローラ９の回転軸の端部に設けられ、二次転写ローラ９を回転可能に軸支する。転写ばね２１は、転写搬送ガイド２３をばね座面として設置され、扉１６が閉位置にあるとき、加圧軸受２２を介して二次転写ローラ９を二次転写対向ローラ８の方向に付勢する。これにより、二次転写ローラ９の中間転写ベルト７、二次転写対向ローラ８に対する当接圧が発生する。
【００３０】
また規制リブ２３ａは、加圧軸受２２と係合して加圧軸受２２の移動方向を規制する。これにより、二次転写ローラ９は、転写搬送ガイド２３に対して転写ばね２１が付勢する方向にのみ移動可能となり、その他の方向においては移動が規制される。
【００３１】
以上の構成により、二次転写対向ローラ８は中間転写ベルト７を介して二次転写ローラ９に付勢される。従って、二次転写対向ローラ８の回転により回転する中間転写ベルト７の摩擦力により二次転写ローラ９が従動回転され、また中間転写ベルト７上のトナーをシート上に転写させることができる。
【００３２】
なお、本実施形態では、二次転写ローラ９の回転軸の両端に配置された加圧軸受２２を、２つの転写ばね２１によりそれぞれ付勢している。そして、転写ばね２１の１つの当たりのばね圧は３ｋｇｆに設定されている。従って、合計６ｋｇｆで二次転写ローラ９が二次転写対向ローラ８を加圧していることになる。
【００３３】
また二次転写部１００において、離間解除部材５０は、二次転写対向ローラ８の回転軸の端部に設けられており、二次転写ローラ９の回転と同期して回転する。また離間解除部材５０は、解除突起５０ａ（突起）を備える。
【００３４】
＜第２ローラの移動＞
次に、第２ローラとしての二次転写ローラ９の移動について説明する。前述した通り、二次転写ローラ９は扉１６が開かれる動作に伴って、中間転写ベルト７、二次転写対向ローラ８から離間する。また後述する通り、扉１６が閉じられた状態において、中間転写ベルト７を介して二次転写対向ローラ８と当接し、転写ばね２１の付勢力により二次転写対向ローラ８を付勢する。以下、まずは二次転写ローラ９の移動について説明する。
【００３５】
まず扉１６が開かれると、扉１６に支持された二次転写ローラ９は、中間転写ベルト７を介して二次転写対向ローラ８と当接した状態（図３（ａ））から離間した状態（図３（ｂ））に変化する。すなわち、二次転写ローラ９は付勢位置から退避位置に移動する。
【００３６】
その後、扉１６がさらに開かれると、離間カム３０が備えるボス３０ａと規制部材４０の傾斜部４０ａとが衝突する（図４（ａ））。以上の図３（ａ）に示す状態から図４（ａ）の状態に示す状態にかけて、画像形成装置Ａ本体と扉１６とのなす角度は０°から１０°になる。
【００３７】
なお、離間カム３０と規制部材４０とが衝突するまでに間隔があるのは、扉１６が自重により開かれる方向に動こうとする力を利用するためである。すなわち、扉１６が開かれる過程において、扉１６の重心が回動中心を超えることにより、自重で開放しようとする動作に切り替わる。このように扉１６が自重で開く力を利用することで、ユーザが扉１６を操作するための力を低減させることができる。つまり、規制部材４０を、扉１６の回動方向において回動中心よりも下流側に配置することで、扉１６を操作するための力を低減させることができる。
【００３８】
次に、さらに扉１６が開かれると、ボス３０ａが傾斜部４０ａに沿って下方側に摺動しながら移動していく。このとき、ボス３０ａは傾斜部４０ａから反力を受ける。この反力により、離間カム３０が矢印Ｒ１方向に回転を開始する（図４（ｂ））。
【００３９】
その後、扉１６が開かれるにつれてボス３０ａが傾斜部４０ａに沿って下方側に移動していき、また離間カム３０が矢印Ｒ１方向に回転していく（図５（ａ）、（ｂ））。また、離間カム３０の回転に伴って、転写ばね２１を圧縮しながら二次転写ローラ９の回転軸９ａがカム形状に沿ってローラ拘束部３０ｃ（拘束部）に移動していく（図５（ａ）、（ｂ）、図６（ａ））。
【００４０】
その後、ボス３０ａが傾斜部４０ａを抜け切って（図６（ｂ））、扉１６が限界位置まで開かれた状態となると（図６（ｃ））、離間カム３０は規制部材４０を越えた状態となり、二次転写ローラ９の回転軸９ａはローラ拘束部３０ｃに拘束された拘束状態となる。
【００４１】
次に、二次転写ローラ９の回転軸９ａが拘束状態から再び解放状態に切り替えられる動作について説明する。
【００４２】
図７は、扉１６が閉じられた直後の二次転写部１００の状態を示す側面図である。図７に示す様に、この時点では、二次転写ローラ９の回転軸９ａは、離間カム３０のローラ拘束部３０ｃにより転写ばね２１が圧縮された状態で拘束された拘束状態であり、二次転写ローラ９は中間転写ベルト７とは非接触の離間した状態となっている。
【００４３】
図８は、扉１６が閉じられた後、画像形成装置Ａ本体が稼働を開始した時の二次転写部１００の状態を示す側面図である。図８に示す様に、画像形成装置Ａ本体が稼働を開始すると、駆動源から駆動力を入力された二次転写対向ローラ８が矢印Ｒ２方向に回転し、この回転と同期して離間解除部材５０がＲ２方向に回転する。これにより、解除突起５０ａが離間カム３０のギア部３０ｂと噛み合う。
【００４４】
その後、二次転写対向ローラ８が矢印Ｒ２方向に回転するにつれて、解除突起５０ａとギア部３０ｂとの係合によって回転力を受けた離間カム３０が矢印Ｒ３方向に回転する。つまり解除突起５０ａとギア部３０ｂは二次転写ローラ９が受ける駆動力を離間カム３０に伝達する駆動伝達部を構成し、二次転写ローラ９の回転により離間カム３０が回転する。そして離間カム３０が所定位置まで回転すると、離間カム３０のローラ拘束部３０ｃと二次転写ローラ９との係合が外れ解放状態に切り替わる。これにより二次転写ローラ９が転写ばね２１の付勢力により、中間転写ベルト７を介して二次転写対向ローラ８を付勢する。
【００４５】
つまり離間カム３０は、扉１６が閉位置にあって二次転写ローラ９の回転軸９ａが解放状態にある場合、扉１６が閉位置から開位置まで移動される途中で回転軸９ａを解放状態から拘束状態へ切り替え、開位置に到達するまで回転軸９ａを拘束状態に維持する。また扉１６が開位置から閉位置まで移動される間は回転軸９ａを拘束状態に維持する。その後に離間カム３０は、閉位置において、離間解除部材５０の回転により解除突起５０ａとギア部３０ｂとが係合することで回転移動し、回転軸９ａを拘束状態から解放状態に切り替える。
【００４６】
このように扉１６を閉じるとき、二次転写ローラ９を拘束状態に維持させることで転写ばね２１による反力を受けずに扉１６を閉じることができる。また、扉１６を閉じた状態で二次転写対向ローラ８の回転により拘束状態から解放状態に切り替えることで、二次転写が開始される前に二次転写ローラ９を中間転写ベルト７を介して二次転写対向ローラ８に付勢できる。従って、駆動源や駆動源からの入力を切り替える機構を別途設けることなく、簡易な構成で扉１６を閉じるときの負荷を軽減することができ、ユーザの操作性を向上させることができる。
【００４７】
なお、画像形成時やシート搬送時において、離間カム３０は二次転写ローラ９と接触しない位置に配置されている。これは、二次転写ローラ９と接触することで転写ばね２１からばね圧が分散しないようにするためである。
【００４８】
また本実施形態では、シート搬送装置を備える装置として中間転写方式の画像形成装置Ａを例示して説明したものの、本発明はこれに限られず、例えば図９に示す様な直接転写方式の画像形成装置Ｂに適用することもできる。すなわち、図９に示す様に、画像形成装置Ｂは感光ドラム１０１（第１ローラ、像担持体）と転写ローラ１０５（第２ローラ）を備え、これらによって記録媒体を挟持して搬送し、且つ、感光ドラム１０１上のトナー像を記録媒体に転写する。そして、扉１６の開閉に伴って転写ローラ１０５が上記拘束状態と上記解放状態とを切り替える構成において、上記同様の構成を適用することで、上記同様の効果を得ることができる。
【００４９】
また本実施形態では、シート搬送装置を備える装置として画像形成装置を例示して本発明を説明したものの、本発明はこれに限られない。すなわち、シートを挟持して搬送する機構を有するものに対して本発明を適用することができ、例えば原稿の画像を読み取る画像読取部を備える画像読取装置にも本発明を適用することができる。
【００５０】
また本実施形態では、トナー像を転写する転写部を例示して説明したものの、本発明はこれに限られない。すなわち、例えば本実施形態の搬送ローラＧ１〜Ｇ３等、対となる第１ローラと第２ローラを備え、これらによりシートを挟持して搬送する構成において、上記同様の構成を適用することで、上記同様の効果を得ることができる。
【符号の説明】
【００５１】
７…中間転写ベルト
８…二次転写対向ローラ（第１ローラ）
９…二次転写ローラ（第２ローラ、転写ローラ）
１６…扉（開閉部材）
２１…転写ばね（付勢部材）
３０…離間カム（拘束部材、カム部材）
３０ｂ…ギア部（ギア）
３０ｃ…ローラ拘束部（拘束部）
５０…離間解除部材（解除部材）
５０ａ…解除突起（突起）
１００…二次転写部（シート搬送装置）
１０１…感光ドラム（第１ローラ、像担持体）
１０５…転写ローラ（第２ローラ）
Ａ…画像形成装置
Ｂ…画像形成装置
【図１】
2017225106.tif 000003
【図２】
2017225106.tif 000004
【図３】
2017225106.tif 000005
【図４】
2017225106.tif 000006
【図５】
2017225106.tif 000007
【図６】
2017225106.tif 000008
【図７】
2017225106.tif 000009
【図８】
2017225106.tif 000010
【図９】
2017225106.tif 000011